(57)【要約】【課題】通信切替完了までの時間を短縮化できる通信システム等を提供する。【解決手段】通信システムは、第１のＯＮＵと光回線網とを接続する第１のＯＬＴと、第２のＯＮＵと光回線網とを接続すると共に、第１のＯＬＴと異なる位置に配置された第２のＯＬＴと、第１のＯＮＵと第１のＯＬＴとの間の光信号を第２のＯＬＴに光分岐する光スプリッタとを有する。第２のＯＬＴは、監視部と、生成部と、通信部とを有する。監視部は、光分岐された第１のＯＬＴと第１のＯＮＵとの間の通信を監視する。生成部は、監視結果から第１のＯＮＵと第１のＯＬＴとの間の通信に使用する設定情報を生成する。通信部は、第１のＯＬＴに対して第１のＯＮＵとの間の通信停止を通知すると共に、設定情報に基づき、第１のＯＮＵとの間の通信を確立する。【選択図】図１
2018157518.tif 000002
【特許請求の範囲】
【請求項１】
第１の光終端装置と光回線網とを接続する第１の光回線終端装置と、
第２の光終端装置と前記光回線網とを接続すると共に、前記第１の光回線終端装置と異なる位置に配置された第２の光回線終端装置と、
前記第１の光終端装置と前記第１の光回線終端装置との間の通信を透過すると共に、前記第１の光終端装置と前記第１の光回線終端装置との間の通信を前記第２の光回線終端装置に光分岐する光分岐部とを有し、
前記第２の光回線終端装置は、
前記光分岐部にて光分岐された前記第１の光回線終端装置と前記第１の光終端装置との間の通信を監視する監視部と、
前記監視部の監視結果から前記第１の光終端装置と前記第１の光回線終端装置との間の通信に使用する設定情報を生成する生成部と、
前記第１の光回線終端装置に対して前記第１の光終端装置との間の通信停止を通知すると共に、前記設定情報に基づき、前記第１の光終端装置との間の通信を確立する通信部と
を有することを特徴とする通信システム。
【請求項２】
前記監視部の監視結果に基づき、前記第１の光回線終端装置側の障害を検出したか否かを判定する判定部を有し、
前記通信部は、
前記第１の光回線終端装置側の障害を検出した場合に、前記第１の光回線終端装置に対して前記第１の光終端装置との間の通信停止を通知することを特徴とする請求項１に記載の通信システム。
【請求項３】
前記生成部は、
前記第１の光終端装置毎の識別情報に関わる通信設定情報を生成する第１の生成部と、
前記第１の光回線終端装置から前記第１の光終端装置に到達する制御信号の受信タイミングが前記第２の光回線終端装置から前記第１の光終端装置に到達する制御信号の受信タイミングに一致するように前記第２の光回線終端装置の出力タイミングを調整するタイミング情報を生成する第２の生成部と
を有することを特徴とする請求項１又は２に記載の通信システム。
【請求項４】
光終端装置と光回線網とを接続する光回線終端装置であって、
他の光終端装置と接続し、当該光回線終端装置と異なる位置に配置された他の光回線終端装置と他の光終端装置との間の通信を光分岐する光分岐部と接続し、光分岐された前記他の光回線終端装置と前記他の光終端装置との間の通信を監視する監視部と、
前記監視部の監視結果から前記他の光終端装置と前記他の光回線終端装置との間の通信に使用する設定情報を生成する生成部と、
前記他の光回線終端装置に対して前記他の光終端装置との間の通信停止を通知すると共に、前記設定情報に基づき、前記他の光終端装置との間の通信を確立する通信部と
を有することを特徴とする光回線終端装置。
【請求項５】
第１の光終端装置と光回線網とを接続する第１の光回線終端装置と、
第２の光終端装置と前記光回線網とを接続すると共に、前記第１の光回線終端装置と異なる位置に配置された第２の光回線終端装置と、
前記第１の光終端装置と前記第１の光回線終端装置との間の通信を透過すると共に、前記第１の光終端装置と前記第１の光回線終端装置との間の通信を前記第２の光回線終端装置に光分岐する光分岐部とを有する通信システムの通信切替方法であって、
前記第２の光回線終端装置は、
前記光分岐部にて光分岐された前記第１の光回線終端装置と前記第１の光終端装置との間の通信を監視し、
監視結果から前記第１の光終端装置と前記第１の光回線終端装置との間の通信に使用する設定情報を生成し、
前記第１の光回線終端装置に対して前記第１の光終端装置との間の通信停止を通知すると共に、前記設定情報に基づき、前記第１の光終端装置との間の通信を確立する
処理を実行することを特徴とする通信切替方法。
【発明の詳細な説明】
【技術分野】
【０００１】
本発明は、通信システム、光回線終端装置及び通信切替方法に関する。
【背景技術】
【０００２】
例えば、ＦＴＴＨ（Fiber  To  The  Home）のＰＯＮ（Passive  Optical  Network）通信システムでは、ユーザ側の光終端装置であるＯＮＵ(Optical  Network  Unit)と、光回線網側の光回線終端装置であるＯＬＴ（Optical  Line  Unit）とを有している。ＯＬＴは、複数のＯＮＵを集約している。
【０００３】
例えば、ＩＥＥＥ８０２．３で定義されているＰＯＮ通信システムでは、１台のＯＬＴに複数台のＯＮＵが光スプリッタを介して接続され、ＯＬＴとＯＮＵとの間を接続する光ファイバで双方向通信を実現している。従って、ＯＬＴとＯＮＵとの間の通信が衝突しないように、ＯＬＴからＯＮＵへのデータ送信と、ＯＮＵからＯＬＴへのデータ送信とで、異なる光波長を使用している。例えば、ＯＬＴからＯＮＵへのデータ送信では、ＯＬＴから配下のＯＮＵへ一斉に送信する。また、ＯＮＵからＯＬＴへのデータ送信では、ＯＬＴからの制御フレーム内に格納された設定情報に基づき、時分割多重方式でデータを送信する。設定情報は、例えば、ＯＮＵの識別情報であるＬＬＩＤ（Logical  Link  Identifier）や、出力タイミングを調整する基準時刻情報、及びＤＢＡ（Dynamic  Bandwidth  Allocation：動的帯域割当）情報等である。各ＯＮＵは、設定情報に基づき、各ＯＮＵのデータ送信タイミングや送信データ量を設定し、この設定内容に応じて時分割多重方式でデータ送信する。
【０００４】
ＰＯＮ通信システムでは、ＯＬＴがシステム内の全ての通信を担うため、ＯＬＴが故障した場合、故障ＯＬＴ配下のＯＮＵの通信が遮断され、ＯＮＵのユーザに多大な影響を及ぼすことになる。そこで、このような影響を回避すべく、例えば、２台のＯＬＴ、すなわち、運用に使用する運用ＯＬＴと、運用ＯＬＴ故障時に切替える予備ＯＬＴの冗長構成とするＰＯＮ通信システムがある。ＰＯＮ通信システムでは、運用ＯＬＴ及び予備ＯＬＴを光スイッチで切替可能にし、運用ＯＬＴの故障を検出した場合、運用ＯＬＴ配下のＯＮＵを運用ＯＬＴから予備ＯＬＴに切替えることで、運用ＯＬＴ故障によるＯＮＵの通信遮断を回避できる。
【先行技術文献】
【特許文献】
【０００５】
【特許文献１】特開２００９−１７１０４１号公報
【特許文献２】特開２０１６−１４３９５０号公報
【発明の概要】
【発明が解決しようとする課題】
【０００６】
しかしながら、ＰＯＮ通信システムでは、運用ＯＬＴ故障によって運用ＯＬＴから予備ＯＬＴに切替える場合、予備ＯＬＴが運用ＯＬＴ配下のＯＮＵと通信して設定情報を取得し直す必要がある。その結果、設定情報を取得する際、運用ＯＬＴ配下のＯＮＵのデータ通信が中断し、通信復旧、すなわち運用ＯＬＴから予備ＯＬＴに切替える通信切替完了までに時間がかかる。
【０００７】
一つの側面では、通信切替完了までの時間を短縮化できる通信システム等を提供することを目的とする。
【課題を解決するための手段】
【０００８】
一つの案の通信システムは、第１の光回線終端装置と、第２の光回線終端装置と、光分岐部とを有する。第１の光回線終端装置は、第１の光終端装置と光回線網とを接続する。第２の光回線終端装置は、第２の光終端装置と前記光回線網とを接続すると共に、前記第１の光回線終端装置と異なる位置に配置される。光分岐部は、前記第１の光終端装置と前記第１の光回線終端装置との間の通信を透過すると共に、前記第１の光終端装置と前記第１の光回線終端装置との間の通信を前記第２の光回線終端装置に光分岐する。前記第２の光回線終端装置は、監視部と、生成部と、通信部とを有する。監視部は、前記光分岐部にて光分岐された前記第１の光回線終端装置と前記第１の光終端装置との間の通信を監視する。生成部は、前記監視部の監視結果から前記第１の光終端装置と前記第１の光回線終端装置との間の通信に使用する設定情報を生成する。通信部は、前記第１の光回線終端装置に対して前記第１の光終端装置との間の通信停止を通知すると共に、前記設定情報に基づき、前記第１の光終端装置との間の通信を確立する。
【発明の効果】
【０００９】
通信切替完了までの時間を短縮化できる。
【図面の簡単な説明】
【００１０】
【図１】図１は、実施例１のＰＯＮ通信システムの一例を示す説明図である。
【図２】図２は、ＯＬＴの外観構成の一例を示す説明図である。
【図３】図３は、第１のＯＬＴの機能構成の一例を示す説明図である。
【図４】図４は、第２のＯＬＴの機能構成の一例を示す説明図である。
【図５】図５は、ＰＯＮ通信システムのＯＬＴ切替処理の一例を示す動作シーケンスである。
【図６】図６は、監視処理に関わる第１のＯＬＴの処理動作の一例を示すフローチャートである。
【図７】図７は、設定処理に関わる第２のＯＬＴの処理動作の一例を示すフローチャートである。
【図８】図８は、第１の光スプリッタに対する第１のＯＬＴ、第２のＯＬＴ及び第１のＯＮＵの信号到達の時間関係の一例を示す説明図である。
【図９】図９は、第１のＯＬＴから第１のＯＮＵに制御フレームが到着するまでの信号到達の時間関係の一例を示す説明図である。
【図１０】図１０は、第１のＯＬＴと第２のＯＬＴとの間のＯＬＴ間通信の基準時刻設定の動作シーケンス及び時間関係の一例を示す説明図である。
【図１１】図１１は、第１のＯＬＴと第１のＯＮＵとの間の定期通信の動作シーケンス及び時間関係の一例を示す説明図である。
【図１２】図１２は、実施例２のＰＯＮ通信システムの一例を示す説明図である。
【図１３】図１３は、シェルフ型装置の一例を示す説明図である。
【発明を実施するための形態】
【００１１】
以下、図面に基づいて、本願の開示する通信システム、光回線終端装置及び通信切替方法の実施例を詳細に説明する。尚、本実施例により、開示技術が限定されるものではない。また、以下に示す実施例は、矛盾を起こさない範囲で適宜組み合わせても良い。
【実施例１】
【００１２】
図１は、実施例１のＰＯＮ通信システム１の一例を示す説明図である。図１に示すＰＯＮ通信システム１は、例えば、ＦＴＴＨネットワーク内のＰＯＮネットワークに適用する通信システムである。ＰＯＮ通信システム１は、複数のＯＮＵ２と、第１の光スプリッタ３Ａと、第２の光スプリッタ３Ｂと、第１のＯＬＴ４Ａ（４）と、第２のＯＬＴ４Ｂ（４）とを有する。更に、ＰＯＮ通信システム１は、上位集約ＳＷ５と、アグリゲーションＳＷ６と、コアＳＷ７と、コアネットワーク８と、上位制御装置９とを有する。
【００１３】
ＯＮＵ２は、例えば、ユーザ宅内の電話機１１やパソコン１２を光終端する光終端装置である。例えば、ユーザ＃１〜＃ｎのＯＮＵ２は第１のＯＮＵ２Ａ、例えば、ユーザ＃１Ａ〜＃ｎＡのＯＮＵ２は第２のＯＮＵ２Ｂとする。第１の光スプリッタ３Ａは、第１のＯＮＵ２Ａ、第１のＯＬＴ４Ａ及び第２のＯＬＴ４Ｂと光ファイバで接続する。第１の光スプリッタ３Ａは、第１のＯＬＴ４Ａと第１のＯＬＴ４Ａ配下の第１のＯＮＵ２Ａとの間の光信号を伝送すると共に、第１のＯＬＴ４Ａと第１のＯＮＵ２Ａとの間の光信号を第２のＯＬＴ４Ｂに光分岐する。第１のＯＬＴ４Ａは、自装置配下の第１のＯＮＵ２Ａを集約するコアネットワーク８側の第１の光回線終端装置である。第２の光スプリッタ３Ｂは、第２のＯＮＵ２Ｂと第２のＯＬＴ４Ｂとを光ファイバで接続する。第２の光スプリッタ３Ｂは、第２のＯＬＴ４Ｂと第２のＯＬＴ４Ｂ配下の第２のＯＮＵ２Ｂとの間の光信号を伝送する。第２のＯＬＴ４Ｂは、自装置配下の第２のＯＮＵ２Ｂを集約するコアネットワーク８側の第２の光回線終端装置である。第２のＯＬＴ４Ｂは、第１のＯＬＴ４Ａと異なる位置に配置された光回線終端装置である。図２は、ＯＬＴ４の外観構成の一例を示す説明図である。図２に示すＯＬＴ４は、例えば、ピザボックスタイプのカードである。
【００１４】
上位集約ＳＷ５は、第１のＯＬＴ４Ａ及び第２のＯＬＴ４Ｂを切替接続するＬ２スイッチである。アグリゲーションＳＷ６は、上位集約ＳＷ５とコアＳＷ７との間を切替え接続するＬ３スイッチである。コアＳＷ７は、コアネットワーク８とアグリゲーションＳＷ６との間を切替接続するスイッチである。コアネットワーク８は光回線網である。上位制御装置９は、ＰＯＮ通信システム１内のＯＬＴ４を監視制御する制御装置である。
【００１５】
図３は、第１のＯＬＴ４Ａの機能構成の一例を示す説明図である。図３に示す第１のＯＬＴ４Ａは、第１の光／電気変換部２１Ａと、第１のＭＡＣ(Media  Access  Controller)／ＰＨＹ(Physical  Layer)ＬＳＩ(Large  Scale  Integration)２２Ａとを有する。第１のＯＬＴ４Ａは、第１のＦＰＧＡ（Field  Programmable  Gate  Array）２３Ａと、上位集約ＳＷＩＦ（Switch  Interface）２４と、上位制御装置ＩＦ２５とを有する。第１の光／電気変換部２１Ａは、光ファイバと接続し、光ファイバからの光信号を電気変換する電気変換機能と、電気信号を光信号に変換する光変換機能とを有する。第１のＰＨＹ／ＭＡＣＬＳＩ２２Ａは、ＰＨＹ層処理及びＭＡＣ層処理を実行する信号処理部である。上位集約ＳＷＩＦ２４は、上位集約ＳＷ５との間の通信ＩＦである。上位制御装置ＩＦ２５は、上位制御装置９との間の通信ＩＦである。
【００１６】
第１のＰＨＹ／ＭＡＣＬＳＩ２１Ａは、送信部３１と、送信処理部３２と、制御フレーム生成部３３と、タイミング生成部３４と、受信部３５と、受信処理部３６と、故障処理部３７とを有する。送信部３１は、ＯＮＵ２に対して送信データや制御フレームを送信する回路である。送信処理部３２は、送信データを生成する処理部である。制御フレーム生成部３３は、制御フレームを生成する回路である。タイミング生成部３４は、送信データや、制御フレームの送信タイミングを生成する回路である。
【００１７】
受信部３５は、ＯＮＵ２からの受信データを受信する回路である。受信処理部３６は、受信データの信号処理、例えば、受信データからＯＮＵ２又は上位集約ＳＷ５宛のデータに分配する回路である。故障処理部３７は、受信データの正当性を判断する回路である。第１のＦＰＧＡ２３Ａは、分配部４１と、帯域調整部４２とを有する。分配部４１は、上位集約ＳＷ５及びＯＮＵ２に受信データを分配する回路である。帯域調整部４２は、自系と切替後に受信データとの帯域を調整する回路である。
【００１８】
図４は、第２のＯＬＴ４Ｂの機能構成の一例を示す説明図である。尚、第１のＯＬＴ４Ａと同一の構成には同一符号を付し、その重複する構成及び動作の説明については省略する。図４に示す第２のＯＬＴ４Ｂは、第１の光／電気変換部２１Ａと、第１のＰＨＹ／ＭＡＣＬＳＩ２２Ａと、第１のＦＰＧＡ２３Ａと、上位集約ＳＷＩＦ２４と、上位制御装置ＩＦ２５と、監視装置２６とを有する。監視装置２６は、第１の光スプリッタ３Ａと接続する光ファイバを通じて、第１のＯＬＴ４Ａと第１のＯＮＵ２Ａとの間の通信をモニタする。
【００１９】
監視装置２６は、第２の光／電気変換部２１Ｂと、第２のＰＨＹ／ＭＡＣＬＳＩ２２Ｂと、第２のＦＰＧＡ２７と、格納部２８とを有する。第２の光／電気変換部２１Ｂは、モニタ対象である第１のＯＬＴ４Ａと第１のＯＬＴ４Ａ配下の第１のＯＮＵ２Ａとの間で光信号を電気変換する電気変換機能と、電気信号を光信号に変換する光変換機能とを有する。第２のＰＨＹ／ＭＡＣＬＳＩ２２Ｂは、ＰＨＹ層処理及びＭＡＣ層処理を実行する信号処理部である。第２のＰＨＹ／ＭＡＣＬＳＩ２２Ｂは、送信部３１と、送信処理部３２と、制御フレーム生成部３３と、タイミング生成部３４と、受信部３５と、受信処理部３６と、故障処理部３７とを有する。
【００２０】
第２のＦＰＧＡ２７は、監視部５１Ａと、判定部５１と、第１の生成部５２と、第２の生成部５３と、通信部５４とを有する。監視部５１Ａは、第１の光スプリッタ３Ａで光分岐された第１のＯＬＴ４Ａと第１のＯＮＵ２Ａとの間の通信を監視する。判定部５１は、第１のＯＬＴ４Ａと第１のＯＮＵ２Ａとの間のモニタ結果に基づき、第１のＯＬＴ４Ａや第１のＯＬＴ４Ａ配下の第１のＯＮＵ２Ａの故障を検出する。第１の生成部５２は、第１のＯＬＴ４Ａと第１のＯＬＴ４Ａ配下の第１のＯＮＵ２Ａとの間のモニタ結果に基づき、通信設定情報を生成する。尚、通信設定情報は、上位集約ＳＷ５に出力するフレーム情報や出力帯域、第１のＯＬＴ４Ａ配下の第１のＯＮＵ２ＡのＬＬＩＤ、第１のＯＬＴ４Ａ配下の第１のＯＮＵ２Ａと通信する際の暗号化情報等である。
【００２１】
第２の生成部５３は、第１のＯＬＴ４Ａと第１のＯＬＴ４Ａ配下の第１のＯＮＵ２Ａとの間のモニタ結果に基づき、タイミング情報を生成する。第２の生成部５３は、第１のＯＬＴ４Ａ配下の第１のＯＮＵ２Ａの監視・制御を実行する基本タイミング情報と、第１のＯＬＴ４Ａと配下の第１のＯＮＵ２Ａとの間の定期通信のタイミングとに基づき、タイミング情報を生成する。タイミング情報は、第２のＯＬＴ４Ｂが第１のＯＬＴ４Ａ配下の第１のＯＮＵ２Ａと通信するための監視・制御タイミングである。タイミング情報には、第１のＯＬＴ４Ａが配下の第１のＯＮＵ２Ａに対して時分割多重通信を実行するための各第１のＯＮＵ２Ａからの応答時間情報や、第１のＯＬＴ４Ａが第２のＯＬＴ４Ｂに基準時刻を設定した際の第２のＯＬＴ４Ｂからの応答時刻情報である。
【００２２】
通信部５４は、ＰＯＮ通信で定義されている画像通信用の光波長を使用して、例えば、第１のＯＬＴ４Ａと第１のＯＮＵ２Ａとの間のデータ通信の運用に影響を与えることなく、第１のＯＬＴ４Ａと通信する。通信部５４は、第１のＯＬＴ４Ａの通信設定情報を第１のＯＬＴ４Ａから取得する。尚、通信設定情報は、第１のＯＬＴ４Ａと第１のＯＮＵ２Ａとの間の通信に使用されるＬＬＩＤ(Logical  Link  Identifier)、暗号化情報、帯域情報及び優先処理等の運用に必要な情報である。更に、通信設定情報は、上位集約ＳＷ５との通信に使用する、例えば、出力帯域情報やＶＬＡＮ(Virtual  Local  Area  Network)情報、優先制御等の設置情報がある。格納部２８は、第１の生成部５２にて生成された通信設定情報、第２の生成部５３にて生成されたタイミング情報や、通信部５４にて取得した第１のＯＬＴ４Ａの通信設定情報を格納する。第２のＯＬＴ４Ｂ内の監視装置２６は、第１のＯＬＴ４Ａと第１のＯＬＴ４Ａ配下の第１のＯＮＵ２Ａとの間の通信をモニタする。
【００２３】
次に実施例１のＰＯＮ通信システム１の動作について説明する。図５は、ＰＯＮ通信システム１のＯＬＴ切替処理の一例を示す動作シーケンスである。第２のＯＬＴ４Ｂは、第１のＯＬＴ４Ａからの検出フレームを受信した場合（ステップＳ１１）、第１のＯＬＴ４Ａに対して応答フレームを送信する（ステップＳ１２）。尚、検出フレームは、ＰＯＮ通信システム１内の新規配置のＯＮＵ２を検出するためのフレームや予備ＯＬＴ４を探索するためのフレームである。応答フレームは、検出フレームに対する応答を示すフレームである。第１のＯＬＴ４Ａは、第２のＯＬＴ４Ｂからの応答フレームを受信した場合、第２のＯＬＴ４Ｂの存在を認識する（ステップＳ１３）。第１のＯＬＴ４Ａは、第２のＯＬＴ４Ｂの存在を認識した場合、ＯＬＴ間通信を使用して第２のＯＬＴ４Ｂに対して第１のＯＬＴ４Ａ側の通信設定情報を送信する（ステップＳ１４）。
【００２４】
第２のＯＬＴ４Ｂは、通信設定情報を受信した場合、通信設定情報を格納部２８に格納する（ステップＳ１５）。その後、第１のＯＬＴ４Ａは、制御フレームを配下の第１のＯＮＵ２Ａに送信する（ステップＳ１６）。尚、第１のＯＬＴ４Ａは、制御フレームを所定周期毎に出力する。第２のＯＬＴ４Ｂは、第１の光スプリッタ３Ａを通じて、第１のＯＬＴ４Ａから配下の第１のＯＮＵ２Ａへの制御フレームをモニタする（ステップＳ１７）。更に、配下の第１のＯＮＵ２Ａは、制御フレームに対する応答フレームを第１のＯＬＴ４Ａに送信する（ステップＳ１８）。尚、説明の便宜上、応答フレームを例示するが、応答フレームの代わりにユーザデータであっても良い。第２のＯＬＴ４Ｂは、配下の第１のＯＮＵ２Ａから第１のＯＬＴ４Ａへの応答フレームをモニタする（ステップＳ１９）。第２のＯＬＴ４Ｂは、第１のＯＬＴ４Ａと配下の第１のＯＮＵ２Ａとの間の定期送信周期を監視し、タイミング情報を更新する（ステップＳ２０）。
【００２５】
更に、第１のＯＬＴ４Ａは、制御フレームを配下の第１のＯＮＵ２Ａに送信する（ステップＳ１６Ａ）。この際、第２のＯＬＴ４Ｂは、第１の光スプリッタ３Ａを通じて、第１のＯＬＴ４Ａから配下の第１のＯＮＵ２Ａへの制御フレームをモニタする（ステップＳ１７Ａ）。更に、配下の第１のＯＮＵ２Ａは、制御フレームに対する応答フレームを第１のＯＬＴ４Ａに送信する（ステップＳ１８Ａ）。第２のＯＬＴ４Ｂは、配下の第１のＯＮＵ２Ａから第１のＯＬＴ４Ａへの応答フレームをモニタする（ステップＳ１９Ａ）。第２のＯＬＴ４Ｂは、第１のＯＬＴ４Ａと配下の第１のＯＮＵ２Ａとの間の定期送信周期を監視し、タイミング情報を更新する（ステップＳ２０Ａ）。
【００２６】
第２のＯＬＴ４Ｂは、第１のＯＬＴ４Ａの定期的な制御フレームがない場合（ステップＳ１７Ｂ）、第１のＯＬＴ４Ａと配下の第１のＯＮＵ２Ａとの間の通信断と判断し、第１のＯＬＴ４Ａの異常を検出する（ステップＳ２１）。第２のＯＬＴ４Ｂは、第１のＯＬＴ４Ａの異常を検出した場合、上位制御装置９及び第１のＯＬＴ４Ａに第１のＯＬＴ４Ａの故障を通知する（ステップＳ２２）。上位制御装置９は、故障通知を検出した場合、切替処理を実行し（ステップＳ２２Ａ）、切替指示を第１のＯＬＴ４Ａに通知する（ステップＳ２３）。尚、切替処理は、上位集約ＳＷ５と第１のＯＬＴ４Ａとの間の通信を上位集約ＳＷ５と第２のＯＬＴ４Ｂとの間の通信に切替える処理である。第１のＯＬＴ４Ａは、切替指示を検出した場合、配下の第１のＯＮＵ２Ａの監視・制御を停止する（ステップＳ２４）。
【００２７】
第１のＯＬＴ４Ａは、監視・制御を停止した後、切替完了通知を第２のＯＬＴ４Ｂ及び上位制御装置９に通知する（ステップＳ２５、ステップＳ２５Ａ）。尚、切替完了通知は、例えば、故障通知の応答フレームである。第２のＯＬＴ４Ｂは、切替完了通知を検出した場合、第１のＯＬＴ４Ａ配下の第１のＯＮＵ２Ａに対する監視・制御を開始する（ステップＳ２６）。その結果、第２のＯＬＴ４Ｂは、格納部２８内の通信設定情報及びタイミング情報に基づき、第１のＯＬＴ４Ａの代わりに、第１のＯＮＵ２Ａとの通信を復旧できる。つまり、第２のＯＬＴ４Ｂは、通信設定情報及びタイミング情報を使用してＯＮＵ２の検出や初期設定が不要になるため、短時間での障害復旧が可能になる。第２のＯＬＴ４Ｂは、制御フレームを配下の第１のＯＮＵ２Ａに送信する（ステップＳ２７）。更に、配下の第１のＯＮＵ２Ａは、第２のＯＬＴ４Ｂからの制御フレームに対する応答フレームを第２のＯＬＴ４Ｂに送信する（ステップＳ２８）。
【００２８】
図６は、監視処理に関わる第１のＯＬＴ４Ａの処理動作の一例を示すフローチャートである。第１のＯＬＴ４Ａは、検出フレームを送信する（ステップＳ３１）。第１のＯＬＴ４Ａは、検出フレームに対応する応答フレームを受信したか否かを判定する（ステップＳ３２）。第１のＯＬＴ４Ａは、検出フレームに対応する応答フレームを受信しなかった場合（ステップＳ３２否定）、所定タイミングで設定済みの配下の第１のＯＮＵ２Ａに対して制御フレームを送信する（ステップＳ３３）。
【００２９】
第１のＯＬＴ４Ａは、制御フレームを送信した後、制御フレームに対する応答フレームを受信したか否かを判定する（ステップＳ３４）。第１のＯＬＴ４Ａは、制御フレームを受信した場合に（ステップＳ３４肯定）、設定済みの配下の第１のＯＮＵ２Ａが正常と判断し（ステップＳ３５）、図６に示す処理動作を終了する。第１のＯＬＴ４Ａは、制御フレームに対する応答フレームを受信しなかった場合（ステップＳ３４否定）、設定済みの配下の第１のＯＮＵ２Ａが異常と判断し（ステップＳ３６）、故障処理を実行し（ステップＳ３７）、図６に示す処理動作を終了する。
【００３０】
第１のＯＬＴ４Ａは、検出フレームに対する応答フレームを受信した場合（ステップＳ３２肯定）、応答フレームがＯＮＵ２又はＯＬＴ４からの応答かを判定する（ステップＳ３８）。尚、ＯＮＵ２及びＯＬＴ４の識別は、ＬＬＩＤ（Logical  Link  Identifier）や、フレーム内のＯＡＭ(Operation  Administration  and  Maintenance)領域内の識別コードで特定するものとする。
【００３１】
第１のＯＬＴ４Ａは、応答フレームがＯＮＵ２からの応答の場合、応答の新規ＯＮＵ２に対して初期設定を送信する（ステップＳ３９）。第１のＯＬＴ４Ａは、新規ＯＮＵ２から初期設定に対する応答を受信したか否かを判定する（ステップＳ４０）。第１のＯＬＴ４Ａは、初期設定に対する応答を受信した場合（ステップＳ４０肯定）、新規ＯＮＵ２が正常と判断し（ステップＳ４１）、図６に示す処理動作を終了する。
【００３２】
第１のＯＬＴ４Ａは、初期設定に対する応答を受信しなかった場合（ステップＳ４０否定）、新規ＯＮＵ２が異常と判断し（ステップＳ４２）、故障処理を実行すべく、ステップＳ３７に移行する。第１のＯＬＴ４Ａは、ステップＳ３８にて応答フレームがＯＬＴ４からの応答の場合、応答のＯＬＴ４に対して基準時刻フレームを送信する（ステップＳ４３）。第１のＯＬＴ４Ａは、基準時刻フレームに対する応答である基準時刻設定完了を受信したか否かを判定する（ステップＳ４４）。
【００３３】
第１のＯＬＴ４Ａは、基準時刻設定完了を受信したのでない場合（ステップＳ４４否定）、応答のＯＬＴ４から異常終了通知を受信したか否かを判定する（ステップＳ４５）。第１のＯＬＴ４Ａは、異常終了通知を受信した場合（ステップＳ４５肯定）、応答ＯＬＴ４の異常と判断し（ステップＳ４６）、故障処理を実行すべく、ステップＳ３７に移行する。第１のＯＬＴ４Ａは、異常終了通知を受信したのでない場合（ステップＳ４５否定）、基準時刻設定完了を受信したか否かを判定すべく、ステップＳ４４に移行する。
【００３４】
第１のＯＬＴ４Ａは、基準時刻設定完了を受信した場合（ステップＳ４４肯定）、第１のＯＬＴ４Ａの通信設定情報及び基準時刻誤差情報を応答の第２のＯＬＴ４Ｂに送信する（ステップＳ４７）。第１のＯＬＴ４Ａは、第１のＯＬＴ４Ａの通信設定情報に対する応答である設定情報完了を受信したか否かを判定する（ステップＳ４８）。第１のＯＬＴ４Ａは、設定情報完了を受信した場合（ステップＳ４８肯定）、図６に示す処理動作を終了する。
【００３５】
また、第１のＯＬＴ４Ａは、設定情報完了を受信しなかった場合（ステップＳ４８否定）、応答のＯＬＴ４から異常終了通知を受信したか否かを判定する（ステップＳ４９）。第１のＯＬＴ４Ａは、異常終了通知を受信した場合（ステップＳ４９肯定）、応答のＯＬＴ４が異常と判断し（ステップＳ５０）、故障処理を実行すべく、ステップＳ３７に移行する。第１のＯＬＴ４Ａは、異常終了通知を受信したのでない場合（ステップＳ４９否定）、設定情報完了を受信したか否かを判定すべく、ステップＳ４８に移行する。
【００３６】
図７は、設定処理に関わる第２のＯＬＴ４Ｂの処理動作の一例を示すフローチャートである。図７において第２のＯＬＴ４Ｂは、第１のＯＬＴ４Ａから検出フレームを受信したか否かを判定する（ステップＳ６１）。第２のＯＬＴ４Ｂは、第１のＯＬＴ４Ａから検出フレームを受信した場合（ステップＳ６１肯定）、検出フレームに対する応答である接続情報及び装置情報を第１のＯＬＴ４Ａに送信する（ステップＳ６２）。
【００３７】
第２のＯＬＴ４Ｂは、第１のＯＬＴ４Ａから基準時刻フレームを受信したか否かを判定する（ステップＳ６３）。第２のＯＬＴ４Ｂは、基準時刻フレームを受信した場合（ステップＳ６３肯定）、基準時刻を設定し（ステップＳ６４）、基準時刻設定完了を第１のＯＬＴ４Ａに送信する（ステップＳ６５）。第２のＯＬＴ４Ｂは、第１のＯＬＴ４Ａから通信設定情報及び基準時刻誤差情報を受信したか否かを判定する（ステップＳ６６）。
【００３８】
第２のＯＬＴ４Ｂは、第１のＯＬＴ４Ａから通信設定情報及び基準時刻誤差情報を受信した場合（ステップＳ６６肯定）、通信設定情報及び基準時刻誤差情報を格納部２８に格納する（ステップＳ６７）。第２のＯＬＴ４Ｂは、設定情報完了を第１のＯＬＴ４Ａに送信し（ステップＳ６８）、図７に示す処理動作を終了する。また、第２のＯＬＴ４Ｂは、第１のＯＬＴ４Ａから検出フレームを受信しなかった場合（ステップＳ６１否定）、図７に示す処理動作を終了する。
【００３９】
第２のＯＬＴ４Ｂは、第１のＯＬＴ４Ａから基準時刻フレームを受信しなかった場合（ステップＳ６３否定）、第１のＯＬＴ４Ａに異常終了通知を送信し（ステップＳ６９）、検出フレームを受信したか否かを判定すべく、ステップＳ６１に移行する。第２のＯＬＴ４Ｂは、第１のＯＬＴ４Ａから通信設定情報及び基準時刻誤差情報を受信しなかった場合（ステップＳ６６否定）、第１のＯＬＴ４Ａに異常終了通知を送信する（ステップＳ７０）。そして、第２のＯＬＴ４Ｂは、検出フレームを受信したか否かを判定すべく、ステップＳ６１に移行する。
【００４０】
第１のＯＬＴ４Ａから第２のＯＬＴ４Ｂに切替える場合には、切替前の第１のＯＬＴ４Ａ配下の第１のＯＮＵ２Ａの制御フレームが同一タイミングで受信できるように第２のＯＬＴ４Ｂの制御フレームの出力タイミングを調整する必要がある。
【００４１】
図８は、第１の光スプリッタ３Ａに対する第１のＯＬＴ４Ａ、第２のＯＬＴ４Ｂ及び第１のＯＮＵ２Ａの信号到達の時間関係の一例を示す説明図である。図８は、第１のＯＬＴ４Ａが第１の光スプリッタ３Ａを経由して第２のＯＬＴ４Ｂ及び第１のＯＬＴ４Ａ配下の第１のＯＮＵ２に制御フレームが到着するまでの時間関係を示している。尚、説明の便宜上、第１のＯＬＴ４Ａと第１の光スプリッタ３Ａとの間の信号到達時間はｔａ、第２のＯＬＴ４Ｂと第１の光スプリッタ３Ａとの間の信号到達時間はｔｘ、第１の光スプリッタ３Ａと＃１の第１のＯＮＵ２Ａとの間の信号到達時間はｔｂ１とする。また、第１の光スプリッタ３Ａと＃２の第１のＯＮＵ２Ａとの間の信号到着時間はｔｂ２、第１の光スプリッタ３Ａと＃ｍの第１のＯＮＵ２Ａとの間の信号到着時間はｔｂｍとする。
【００４２】
図９は、第１のＯＬＴ４Ａから第１のＯＮＵ２Ａに制御フレームが到達するまでの信号到達の時間関係の一例を示す説明図である。第１のＯＬＴ４Ａは、制御フレームを第１の光スプリッタ３Ａ経由で第１のＯＬＴ４Ａ配下の第１のＯＮＵ２Ａ及び第２のＯＬＴ４Ｂに送信する。第１のＯＬＴ４Ａの制御フレームの送信時刻はＴ１、第１の光スプリッタ３Ａの制御フレームの受信時刻はＴ２、第１のＯＮＵ２Ａの制御フレームの受信時刻はＴ３、第２のＯＬＴ４Ｂの制御フレームの受信時刻はＴ４とする。
【００４３】
第１のＯＬＴ４Ａから第２のＯＬＴ４Ｂへの切替前後で第１のＯＮＵ２Ａの受信時刻Ｔ３がずれないようにするには、切替前後も第１の光スプリッタ３Ａ上の制御フレームの受信時刻Ｔ２と同一にする必要がある。第２のＯＬＴ４Ｂは、第１の光スプリッタ３Ａから制御フレームが到達するまでの信号到達時間としてｔｘかかる。従って、切替後の第２のＯＬＴ４Ｂが制御フレームを送信するタイミングＴ５は、第１のＯＬＴ４Ａからの制御フレームの受信時刻Ｔ４から、第１の光スプリッタ３Ａと第１のＯＬＴ４Ａとの間の遅延時間ｔｘの２倍の時間（２ｔｘ）を減算したタイミングとなる。その結果、第１のＯＮＵ２Ａ上の制御フレームの受信時刻Ｔ３では、切替前後の制御フレームの受信時刻と同一時刻となる。尚、２ｔｘの時間を算出する方法は下記の通りである。
【００４４】
図１０は、第１のＯＬＴ４Ａと第２のＯＬＴ４Ｂとの間のＯＬＴ間通信の基準時刻設定の動作シーケンス及び時間関係の一例を示す説明図である。第１のＯＬＴ４Ａは、第２のＯＬＴ４Ｂの基準時刻設定のために、フレーム送信時刻：Ｔを基準時刻フレーム内に格納し、当該基準時刻フレームを第２のＯＬＴ４Ｂに送信する。第２のＯＬＴ４Ｂは、受信した基準時刻フレーム内のデータ送信時刻Ｔに内部時刻Ｔ´（＝Ｔ）を補正する。第２のＯＬＴ４Ｂは、内部時刻Ｔ´に基づき、データ送信時刻：Ｔｍ´を応答フレーム内に格納し、応答フレームを第１のＯＬＴ４Ａに送信する。第１のＯＬＴ４Ａは、応答フレームを受信した場合、応答フレームの受信時刻：Ｔｎを得る。第２のＯＬＴ４Ｂは、受信時刻Ｔｎをフレーム内に格納し、当該フレームを第１のＯＬＴ４Ａに送信する。
【００４５】
基準時刻の設定通信に要した時間（Ｔｎ−Ｔ）は、第１のＯＬＴ４Ａと第１の光スプリッタ３Ａとの間の信号到達時間をｔａ、第１の光スプリッタ３Ａと第２のＯＬＴ４Ｂとの間の信号到達時間をｔｘとする。この場合、Ｔｎ−Ｔ＝ｔａ＋ｔｘ＋（Ｔｍ´−Ｔ´）＋ｔｘ＋ｔａの（数式１）の通りとなる。そして、（数式１）を整理した場合、Ｔｎ−Ｔｍ´＝２ｔａ＋２ｔｘ−Ｔ＋Ｔ´の（数式２）の通りとなる。更に、ＴとＴ´は同一の値であるため、Ｔｎ−Ｔｍ´＝２ｔａ＋２ｔｘの（数式３）の通りとなる。
【００４６】
図１１は、第１のＯＬＴ４Ａと第１のＯＮＵ２Ａとの間の定期通信の動作シーケンス及び時間関係の一例を示す説明図である。第１のＯＬＴ４Ａ配下の第１のＯＮＵ２Ａと第１の光スプリッタ３Ａとの間の信号到達時間はｔｂα、第１のＯＬＴ４Ａの制御フレーム送信開始から、配下の第１のＯＮＵ２Ａからの応答フレーム受信までの応答時間はＴｏｎｕαとする。更に、第２のＯＬＴ４Ｂでモニタ時の第１のＯＬＴ４Ａ配下の第１のＯＮＵ２Ａの応答時間はＴ´ｏｎｕα、ＯＮＵ番号はα（１・・・・・ｍ）、第１のＯＮＵ２Ａの内部遅延はΔβとなる。この場合、第１のＯＬＴ４Ａの第１のＯＮＵ２Ａの応答時間（Ｔｏｎｕα）は、Ｔｏｎｕα＝ｔａ＋ｔｂα＋Δβ＋ｔｂα＋ｔａ＝２ｔａ＋２ｔｂα＋Δβの（数式４）の通りとなる。更に、第２のＯＬＴ４Ｂでモニタ時の第１のＯＬＴ４Ａ配下の第１のＯＮＵ２Ａの応答時間（Ｔ´ｏｎｕα）は、Ｔ´ｏｎｕα＝ｔａ＋ｔｂα＋Δβ＋ｔｂα＋ｔｘ−（ｔａ＋ｔｘ）＝２ｔｂα＋Δβの（数式５）の通りとなる。（数式４）−（数式５）で、Ｔｏｎｕα−Ｔ´ｏｎｕα＝２ｔａの（数式６）が得られる。
【００４７】
（数式３）と（数式６）の時間ｔａは、第１のＯＬＴ４Ａと第１の光スプリッタ３Ａとの間の信号到達時間であり、ネットワークが同一であれば、同じ値となる。従って、（数式４）に、（数式５）で得られた２ｔａの値を代入すると、Ｔｎ−Ｔｍ´＝（Ｔｏｎｕα−Ｔ´ｏｎｕα）＋２ｔｘで（数式７）が得られる。
【００４８】
第１の光スプリッタ３Ａと第２のＯＬＴ４Ｂとの間の信号到達時間ｔｘの２倍の時間２ｔｘは、（Ｔｎ−Ｔｍ´）−（Ｔｏｎｕα−Ｔ´ｏｎｕα）となる。第１のＯＬＴ４Ａと第２のＯＬＴ４Ｂとの間の基準時刻設定で、第１のＯＬＴ４Ａ上での第２のＯＬＴ４Ｂからの応答フレーム受信時刻Ｔｎ、第１のＯＬＴ４Ａと第２のＯＬＴ４Ｂとの間の基準時刻設定で、使用する第２のＯＬＴ４Ｂの応答フレーム送信時刻Ｔｍ´については、ネットワーク構築が完了した際に、固定的な値となる。第１のＯＬＴ４Ａ配下の第１のＯＮＵ２Ａの応答時間であるＴｏｎｕαについては、第２のＯＬＴ４Ｂは、第１のＯＬＴ４Ａから情報を取得できる。第２のＯＬＴ４Ｂでモニタした第１のＯＬＴ４Ａの配下の第１のＯＮＵ２Ａの応答時間であるＴ´ｏｎｕαについては、第２のＯＬＴ４Ｂが、第１のＯＬＴ４Ａと配下の第１のＯＮＵ２Ａの通信をモニタすることで値を得ることができ、固定的な値を求めることが可能となる。
【００４９】
Ｔｏｎｕα及びＴ´ｏｎｕαは、例えば、第１のＯＬＴ４Ａ配下の第１のＯＮＵ２Ａの交換で変更になる可能性があり、第２のＯＬＴ４Ｂは、Ｔ´ｏｎｕαの値が変化した場合は、第１のＯＬＴ４Ａ側に、Ｔｏｎｕαの値を再度問い合わせる必要がある。更に、切り替え後のＴｏｎｕα、Ｔ´ｏｎｕαの値は、第２のＯＬＴ４Ｂが第１のＯＬＴ４Ａの代わりを行うことから、同一の値となり、値の変更時は、通常動作の配下の第１のＯＮＵ２Ａの変更として取り扱うことになる。
【００５０】
故障判断は、第１のＯＬＴ４Ａからの制御フレームの定期通信を第２のＯＬＴ４Ｂ上でモニタすることで行う。第２のＯＬＴ４Ｂは、制御フレーム内のＯＮＵ識別用のＬＬＩＤやＭＡＣ等の情報を用いて、特定のＯＮＵ２の通信をモニタできる。その結果、第２のＯＬＴ４Ｂは、第１のＯＬＴ４Ａからの送信フレームの総数監視だけでなく、特定のＯＮＵ２への定期送信異常の検出や、任意のＯＮＵ２に対する制御フレームの間欠障害の検出により、第１のＯＬＴ４Ａの故障を判定できる。
【００５１】
第２のＯＬＴ４Ｂは、第１のＯＬＴ４Ａの故障を検出した場合、ＯＬＴ間通信にて、第１のＯＬＴ４Ａ及び上位制御装置９に対して故障通知を送信する。上位制御装置９は、故障通知に応じて上位集約ＳＷ５に対して第１のＯＬＴ４Ａから第２のＯＬＴ４Ｂへの切替処理を実行する。故障通知を受けた第１のＯＬＴ４Ａは、第２のＯＬＴ４Ｂに対して故障通知の受信応答を返信し、配下ＯＮＵ２の監視・制御を停止する。第２のＯＬＴ４Ｂは、故障通知の応答を受信した後、第１のＯＬＴ４Ａ配下のＯＮＵ２の制御・監視を開始する。その結果、第２のＯＬＴ４Ｂは、格納部２８内の通信設定情報及びタイミング情報に基づき、第１のＯＬＴ４Ａの代わりに、第１のＯＮＵ２Ａとの通信を復旧できる。つまり、第２のＯＬＴ４Ｂは、通信設定情報及びタイミング情報を使用してＯＮＵ２の検出や初期設定が不要になるため、短時間での障害復旧が可能になる。
【００５２】
実施例１では、第１のＯＬＴ４Ａに接続した第１の光スプリッタ３Ａと、第１のＯＬＴ４Ａと別の場所にある第２のＯＬＴ４Ｂとを光ファイバで接続する。第２のＯＬＴ４Ｂは、第１のＯＬＴ４Ａと第１のＯＬＴ４Ａ配下の第１のＯＮＵ２Ａとの間の定期通信をモニタし、そのモニタ結果から、第１のＯＬＴ４Ａの設定情報を生成する。その結果、従来技術に比較して、第１のＯＬＴ４Ａと第２のＯＬＴ４Ｂとの間で定期的な情報のやり取りが不要になり、ネットワークの効率的な運用が可能になる。
【００５３】
第２のＯＬＴ４Ｂは、第１のＯＬＴ４Ａと第１のＯＬＴ４Ａ配下の第１のＯＮＵ２との間の通信をモニタし、そのモニタ結果に基づき故障判定を実行する。その結果、第１のＯＬＴ４Ａ又は第１のＯＬＴ４Ａ配下の第１のＯＮＵ２Ａの何れの故障かを正確に判定できる。更に、時間軸多重で送受信されるデータの間欠故障も判定可能になり、正確かつ迅速な故障判定が実現できる。
【００５４】
第２のＯＬＴ４Ｂは、第１のＯＬＴ４ＡとのＯＬＴ間通信で初期の設定情報を取得し、第１のＯＬＴ４Ａと第１のＯＬＴ４Ａ配下の第１のＯＮＵ２Ａとの間の通信モニタで第１のＯＮＵ２Ａの時分割多重タイミングの情報等をリアルタイム更新する。その結果、切替時の第１のＯＮＵ２Ａの再認識が不要になるため、障害復旧までの時間を短縮化できる。
【００５５】
ＰＯＮ通信システム１では、第１のＯＬＴ４Ａと第２のＯＬＴ４Ｂとの間の通信をＯＮＵがなくてもＯＬＴ間通信できるため、ＯＬＴ間通信による配下ＯＮＵ２とのデータ通信の運用中断を回避できる。その結果、ＰＯＮ通信システム１の効率的な運用、ＰＯＮ区間の正確な故障判定、故障の早期復旧までの処理時間の短縮化を図ることができる。
【００５６】
第２のＯＬＴ４Ｂは、第１のＯＬＴ４Ａと第１のＯＮＵ２Ａとの間の通信のモニタ結果に基づき、切替後の運用に必要な第１のＯＮＵ２Ａの時分割多重タイミング等をリアルタイムに更新し、第１のＯＬＴ４Ａから第２のＯＬＴ４Ｂへの切替時間の短縮化を図る。更に、ＰＯＮ通信システム１では、外部に第１のＯＬＴ４Ａの故障に備えた機器を設置するのではなく、第１のＯＬＴ４Ａの近傍で第２のＯＮＵ２Ｂを運用中の第２のＯＬＴ４Ｂを使用することで、ＯＬＴ故障からの通信復旧を迅速に行うことができる。
【００５７】
上記実施例１のＰＯＮ通信システム１では、第１のＯＬＴ４Ａと第２のＯＬＴ４Ｂとの間で第１の光スプリッタ３経由でＯＬＴ間通信を実行可能にした。しかしながら、ＰＯＮ通信システム１では、第１のＯＬＴ４Ａと第２のＯＬＴ４Ｂとの間のＯＬＴ間通信がサポートされていない場合、上位制御装置９を経由して第１のＯＬＴ４Ａと第２のＯＬＴ４Ｂとの間でデータ通信を実行しても良い。
【００５８】
上位集約ＳＷ５は、第１のＯＬＴ４Ａからのデータ受信を停止、第２のＯＬＴ４Ｂからのデータ受信を可能とする。第２のＯＬＴ４Ｂでは、さらに、上位集約ＳＷ５との通信で、第２のＯＬＴ４Ｂ配下の第２のＯＮＵ２Ｂと第１のＯＬＴ４Ａ配下の第１のＯＮＵ２Ａとの通信が輻輳して通信の安定性が保てない場合も考えられる。そこで、第２のＯＬＴ４Ｂは、第１のＯＬＴ４Ａの配下の第１のＯＮＵ２Ａのデータに対し、事前に通信設定情報として格納している優先度情報を使用して帯域管理を実行しても良い。
【００５９】
上記実施例１のＰＯＮ通信システム１は、第１のＯＬＴ４Ａを図３に示す構成としたが、第１のＯＬＴ４Ａ内に監視装置２６を内蔵しても良い。この場合の実施の形態につき、実施例２として以下に説明する。
【実施例２】
【００６０】
図１２は、実施例２のＰＯＮ通信システム１Ａの一例を示す説明図である。尚、実施例１のＰＯＮ通信システム１と同一の構成には同一符号を付すことで、その重複する構成及び動作の説明については省略する。
【００６１】
実施例１のＰＯＮ通信システム１と実施例２のＰＯＮ通信システム１Ａとが異なるところは、第１のＯＬＴ４Ａの代わりに、監視装置２６を内蔵した第３のＯＬＴ４Ｃを設けた点にある。
【００６２】
更に、第２の光スプリッタ３Ｂは、第２のＯＬＴ４Ｂ及び第２のＯＬＴ４Ｂ配下の第２のＯＮＵ２Ｂの他に、第３のＯＬＴ４Ｃと光ファイバで接続する。第３のＯＬＴ４Ｃは、第２のＯＬＴ４Ｂと第２のＯＬＴ４Ｂ配下の第２のＯＮＵ２Ｂとの間の定期通信を第２の光スプリッタ３Ｂ経由でモニタする。
【００６３】
第２のＯＬＴ４Ｂは、ユーザ＃１Ａ〜＃ｎＡの第２のＯＮＵ２Ｂを集約し、第２のＯＮＵ２Ｂとの間の通信が運用中とする。また、第３のＯＬＴ４Ｃは、ユーザ＃１〜＃ｎの第１のＯＮＵ２Ａを集約し、第１のＯＮＵ２Ａとの間の通信が運用中である。
【００６４】
つまり、第２のＯＬＴ４Ｂは、第２の光スプリッタ３Ｂを通じて第３のＯＬＴ４Ｃと第３のＯＬＴ４Ｃ配下の第１のＯＮＵ２Ａとの間の定期通信をモニタする。同様に、第３のＯＬＴ４Ｃは、第１の光スプリッタ３Ａを通じて第２のＯＬＴ４Ｂと第２のＯＬＴ４Ｂ配下の第２のＯＮＵ２Ｂとの間の定期通信をモニタする。
【００６５】
第２のＯＬＴ４Ｂは、モニタ結果に基づき、第３のＯＬＴ４Ｃの通信設定情報及びタイミング情報を生成し、第３のＯＬＴ４Ｃの通信設定情報及びタイミング情報を格納部２８に格納する。また、第３のＯＬＴ４Ｃは、モニタ結果に基づき、第２のＯＬＴ４Ｂの通信設定情報及びタイミング情報を生成し、第２のＯＬＴ４Ｂの通信設定情報及びタイミング情報を格納部２８に格納する。
【００６６】
第２のＯＬＴ４Ｂは、モニタ結果に基づき、第３のＯＬＴ４Ｃ側の故障を検出した場合、第３のＯＬＴ４Ｃの通信設定情報及びタイミング情報に基づき、第３のＯＬＴ４Ｃから第１のＯＮＵ２Ａに切替接続する。その結果、第２のＯＬＴ４Ｂは、第３のＯＬＴ４Ｃ側の故障を検出した場合でも、第３のＯＬＴ４Ｃ配下の第１のＯＮＵ２Ａを迅速に復旧できる。また、第３のＯＬＴ４Ｃは、モニタ結果に基づき、第２のＯＬＴ４Ｂ側の故障を検出した場合、第２のＯＬＴ４Ｂの通信設定情報及びタイミング情報に基づき、第２のＯＬＴ４Ｂ配下の第２のＯＮＵ２Ｂに切替接続する。その結果、第３のＯＬＴ４Ｃは、第２のＯＬＴ４Ｂ側の故障を検出した場合でも、第２のＯＬＴ４Ｂ配下の第２のＯＮＵ２Ｂを迅速に復旧できる。
【００６７】
ＰＯＮ通信システム１Ａでは、第３のＯＬＴ４Ｃ及び第２のＯＬＴ４Ｂが相互に通信を監視するため、相互監視を余剰の帯域を使用せずに、第３のＯＬＴ４Ｃと第２のＯＬＴ４Ｂとの間の相互切替が可能になる。
【００６８】
上記実施例では、ピザボックス型のＯＬＴ４を例示したが、複数枚のＯＬＴカードを搭載したシェルフ型装置でも良い。図１３は、シェルフ型装置１００の一例を示す説明図である。図１３に示すシェルフ型装置１００は、複数のＯＬＴカード１１１と、ＳＷカード１１２と、ＣＰＵカード１１３とを有する。ＯＬＴカード１１１は、ＯＬＴ４を搭載したＩＦカードである。ＳＷカード１１２は、ＯＬＴカード１１１同士を切替接続するＳＷである。ＣＰＵカード１１３は、シェルフ型装置１００全体を制御するカードである。第１のＯＬＴ４Ａと第２のＯＬＴ４Ｂとは、異なるシェルフ型装置１００内に内蔵されたＯＬＴカード１１１とする。
【００６９】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００７０】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００７１】
１  ＰＯＮ通信システム
２Ａ  第１のＯＮＵ
２Ｂ  第２のＯＮＵ
３Ａ  第１の光スプリッタ
３Ｂ  第２の光スプリッタ
４Ａ  第１のＯＬＴ
４Ｂ  第２のＯＬＴ
５１Ａ  監視部
５１  判定部
５２  第１の生成部
５３  第２の生成部
５４  通信部
【図１】
2018157518.tif 000003
【図２】
2018157518.tif 000004
【図３】
2018157518.tif 000005
【図４】
2018157518.tif 000006
【図５】
2018157518.tif 000007
【図６】
2018157518.tif 000008
【図７】
2018157518.tif 000009
【図８】
2018157518.tif 000010
【図９】
2018157518.tif 000011
【図１０】
2018157518.tif 000012
【図１１】
2018157518.tif 000013
【図１２】
2018157518.tif 000014
【図１３】
2018157518.tif 000015